【手続補正書】
【提出日】平成23年7月21日(2011.7.21)
【手続補正１】
【補正対象書類名】特許請求の範囲
【補正対象項目名】全文
【補正方法】変更
【補正の内容】
【特許請求の範囲】
【請求項１】
発電設備を電力系統に連系する送電経路と、
送電経路の発電設備と電力系統との間に接続される電力貯蔵装置とから構成され、
前記電力貯蔵装置は、
所要数の電気二重層キャパシタから構成されるキャパシタシステムと、
発電設備の出力が目標レベルを上回ると送電経路からその差分の電力をキャパシタシステムへ供給する一方で発電設備の出力が目標レベルを下回るとキャパシタシステムからその差分の電力を送電経路へ供給することで発電設備の出力を安定するように制御する電力制御手段と、
を備える電気二重層キャパシタ電力貯蔵装置において、
前記電力制御手段は、前記キャパシタシステムの充電率が所定の充電率より低い場合には、前記キャパシタシステムへ供給する差分の電力に第１所定値を加算する一方、前記キャパシタシステムの充電率が所定の充電率より高い場合には、送電経路へ供給する差分の電力に第２所定値を加算することを特徴とする電気二重層キャパシタ電力貯蔵装置。
【請求項２】
発電設備を電力系統に連系する送電経路と、
送電経路の発電設備と電力系統との間に接続される電力貯蔵装置とから構成され、
前記電力貯蔵装置は、
所要数の電気二重層キャパシタから構成されるキャパシタシステムと、
発電設備の出力が目標レベルを上回ると送電経路からその差分の電力をキャパシタシステムへ供給する一方で発電設備の出力が目標レベルを下回るとキャパシタシステムからその差分の電力を送電経路へ供給することで発電設備の出力を安定するように制御する電力制御手段と、
を備える電気二重層キャパシタ電力貯蔵装置において、
前記電力制御手段は、前記キャパシタシステムの充電率が所定の充電率より低い場合には、前記送電経路へ供給する差分の電力から第１所定値を減算する一方、前記キャパシタシステムの充電率が所定の充電率より高い場合には、前記キャパシタシステムへ供給する差分の電力から第２所定値を減算することを特徴とする電気二重層キャパシタ電力貯蔵装置。
【請求項３】
発電設備を電力系統に連系する送電経路と、
送電経路の発電設備と電力系統との間に接続される電力貯蔵装置とから構成され、
前記電力貯蔵装置は、
所要数の電気二重層キャパシタから構成されるキャパシタシステムと、
発電設備の出力が目標レベルを上回ると送電経路からその差分の電力をキャパシタシステムへ供給する一方で発電設備の出力が目標レベルを下回るとキャパシタシステムからその差分の電力を送電経路へ供給することで発電設備の出力を安定するように制御する電力制御手段と、
を備える電気二重層キャパシタ電力貯蔵装置において、
前記電力制御手段は、前記キャパシタシステムの充電率が所定の充電率より低い場合には、前記キャパシタシステムへ供給する差分の電力に第１所定値を加算し、前記送電経路へ供給する差分の電力から第１所定値を減算する一方、前記キャパシタシステムの充電率が所定の充電率より高い場合には、前記キャパシタシステムへ供給する差分の電力から第２所定値を減算し、送電経路へ供給する差分の電力に第２所定値を加算することを特徴とする電気二重層キャパシタ電力貯蔵装置。
【請求項４】
前記電力制御手段は、前記キャパシタシステムの充電率を前記所定の充電率に維持できるように前記第１所定値および前記第２所定値を制御することを特徴とする請求項１〜請求項３の何れか１つに記載の電気二重層キャパシタ電力貯蔵装置。
【請求項５】
前記第１所定値および前記第２所定値は、前記キャパシタシステムの充電率が前記所定の充電率を含む所定範囲にあるときはキャパシタシステムの充電率に対して比例関係に設定し、それ以外では一定値に設定するように制御されることを特徴とする請求項４に記載の電気二重層キャパシタ電力貯蔵装置。
【手続補正２】
【補正対象書類名】明細書
【補正対象項目名】０００７
【補正方法】変更
【補正の内容】
【０００７】
この発明においては、キャパシタシステムを備えた電力貯蔵装置の過充電、過放電及び過昇温を防止し、電力貯蔵装置のメンテナンスフリー化及び長寿命化を図ることを目的とする。とくに、例えば風力発電システムの出力安定化用電力貯蔵装置として充電レベルを適正に維持できるようにすることを目的とする。
【手続補正３】
【補正対象書類名】明細書
【補正対象項目名】０００８
【補正方法】変更
【補正の内容】
【０００８】
第１の発明は、発電設備を電力系統に連系する送電経路と、送電経路の発電設備と電力系統との間に接続される電力貯蔵装置とから構成され、前記電力貯蔵装置は、所要数の電気二重層キャパシタから構成されるキャパシタシステムと、発電設備の出力が目標レベルを上回ると送電経路からその差分の電力をキャパシタシステムへ供給する一方で発電設備の出力が目標レベルを下回るとキャパシタシステムからその差分の電力を送電経路へ供給することで発電設備の出力を安定するように制御する電力制御手段と、を備える電気二重層キャパシタ電力貯蔵装置において、前記電力制御手段は、前記キャパシタシステムの充電率が所定の充電率より低い場合には、前記キャパシタシステムへ供給する差分の電力に第１所定値を加算する一方、前記キャパシタシステムの充電率が所定の充電率より高い場合には、送電経路へ供給する差分の電力に第２所定値を加算することを特徴とする。      第２の発明は、発電設備を電力系統に連系する送電経路と、送電経路の発電設備と電力系統との間に接続される電力貯蔵装置とから構成され、前記電力貯蔵装置は、所要数の電気二重層キャパシタから構成されるキャパシタシステムと、発電設備の出力が目標レベルを上回ると送電経路からその差分の電力をキャパシタシステムへ供給する一方で発電設備の出力が目標レベルを下回るとキャパシタシステムからその差分の電力を送電経路へ供給することで発電設備の出力を安定するように制御する電力制御手段と、を備える電気二重層キャパシタ電力貯蔵装置において、前記電力制御手段は、前記キャパシタシステムの充電率が所定の充電率より低い場合には、前記送電経路へ供給する差分の電力から第１所定値を減算する一方、前記キャパシタシステムの充電率が所定の充電率より高い場合には、前記キャパシタシステムへ供給する差分の電力から第２所定値を減算することを特徴とする。 第３の発明は、発電設備を電力系統に連系する送電経路と、送電経路の発電設備と電力系統との間に接続される電力貯蔵装置とから構成され、前記電力貯蔵装置は、所要数の電気二重層キャパシタから構成されるキャパシタシステムと、発電設備の出力が目標レベルを上回ると送電経路からその差分の電力をキャパシタシステムへ供給する一方で発電設備の出力が目標レベルを下回るとキャパシタシステムからその差分の電力を送電経路へ供給することで発電設備の出力を安定するように制御する電力制御手段と、を備える電気二重層キャパシタ電力貯蔵装置において、前記電力制御手段は、前記キャパシタシステムの充電率が所定の充電率より低い場合には、前記キャパシタシステムへ供給する差分の電力に第１所定値を加算し、前記送電経路へ供給する差分の電力から第１所定値を減算する一方、前記キャパシタシステムの充電率が所定の充電率より高い場合には、前記キャパシタシステムへ供給する差分の電力から第２所定値を減算し、送電経路へ供給する差分の電力に第２所定値を加算することを特徴とする。
【手続補正４】
【補正対象書類名】明細書
【補正対象項目名】０００９
【補正方法】変更
【補正の内容】
【０００９】
第１の発明〜第３の発明においては、電気二重層キャパシタ電力貯蔵装置の過充電、過放電を防止し、電気二重層キャパシタ電力貯蔵装置の長寿命化及びメンテナンスフリー化を図ることができる。とくに、例えば風力発電システムの出力安定化用電力貯蔵装置としてキャパシタシステムの充電レベル（充電率）を適正（所定の充電率）に維持することができる。
【手続補正５】
【補正対象書類名】明細書
【補正対象項目名】００２０
【補正方法】変更
【補正の内容】
【００２０】
まずステップＳ１で、風力発電出力の安定化に必要な充放電出力を算出する。必要な充放電出力は風力発電の発電電力と目標発電電力との差に基づいて算出される。続くステップＳ２で、算出された充放電出力から充放電が必要か否かを判定し、不必要であればステップＳ５４に進む。
【手続補正６】
【補正対象書類名】図面
【補正対象項目名】図１
【補正方法】変更
【補正の内容】
【図１】
2011078313.tif 000001
【手続補正７】
【補正対象書類名】図面
【補正対象項目名】図３
【補正方法】変更
【補正の内容】
【図３】
2011078313.tif 000002
【手続補正８】
【補正対象書類名】図面
【補正対象項目名】図４
【補正方法】変更
【補正の内容】
【図４】
2011078313.tif 000003
【手続補正９】
【補正対象書類名】図面
【補正対象項目名】図６
【補正方法】変更
【補正の内容】
【図６】
2011078313.tif 000004